(57)【要約】【課題】レンズ厚変更のためのコアピンの可動操作が簡単で、調整作業の容易なレンズ成形金型装置を提供すること。【解決手段】本発明のレンズ成形金型装置は、第１，第２の金型１，１１と、この第１，第２の金型１，１１のそれぞれに保持され、レンズキャビティを形成するための第１，第２のコアピン７，１７とを備え、第１，第２の金型１，１１の少なくとも一方には、コアピンを可動して、レンズの厚さを調整するための調整手段２１が配設されたため、調整手段２１を設けることによって、金型を分解することなく、レンズ厚の調整か可能となって、調整作業の容易なものが得られる。【選択図】図１
2007125809.tif 000002
【特許請求の範囲】
【請求項１】
少なくとも一方側が移動可能となった第１，第２の金型と、この第１，第２の金型のそれぞれに保持され、レンズキャビティを形成するための第１，第２のコアピンとを備え、前記第１，第２の金型の少なくとも一方には、前記コアピンを可動して、前記レンズの厚さを調整するための調整手段が配設されたことを特徴とするレンズ成形金型装置。
【請求項２】
前記調整手段が前記第１，第２の金型に設けられて、前記調整手段によって前記第１，第２のコアピンを可動可能としたことを特徴とする請求項１記載のレンズ成形金型装置。
【請求項３】
前記第１，第２の金型のそれぞれには、複数の前記レンズキャビティを形成するための複数の前記第１，第２のコアピンが配置され、複数のレンズの成形が可能としたことを特徴とする請求項１、又は２記載のレンズ成形金型装置。
【請求項４】
前記調整手段は、前記金型に保持された状態で前記金型外に突出した調整部材と、前記金型に保持され、前記調整部材からの動力を受けて前記コアピンを可動するスペーサ部材とを有したことを特徴とする請求項１から３の何れか１項に記載のレンズ成形金型装置。
【請求項５】
前記調整部材は、前記金型にねじ込まれたネジ部と、このネジ部に結合され、前記金型外に突出する調整部を有し、前記スペーサ部材は、前記コアピンに当接する可動体と、この可動体に結合され、弾性変形可能な弾性梁部と、前記ネジ部によって移動可能で、前記弾性梁部によって前記ネジ部の動きに追従する基体部を有し、前記ネジ部がネジ込まれ、又はネジ戻された際、前記弾性梁部を介して前記可動体が移動して、前記コアピンを可動するようにしたことを特徴とする請求項４記載のレンズ成形金型装置。
【発明の詳細な説明】
【技術分野】
【０００１】
本発明は、携帯電話機に使用されるカメラモジュール等に適用して好適なレンズ成形金型装置に関するものである。
【背景技術】
【０００２】
従来のレンズ成形金型装置の図面を説明すると、図６は従来のレンズ成形金型装置に係る要部断面図、図７は従来のレンズ成形金型装置に係る要部の拡大断面図であり、次に、従来のレンズ成形金型装置の構成を図６，図７に基づいて説明すると、従来のレンズ成形金型装置は、型板５３，入れ子５５，及びコアピン５６を有する第１の金型５１と、型板６５，入れ子６６，及びコアピン６７を有する第２の金型６１とで主部材が形成されている。
【０００３】
固定側である上部の第１の金型５１は、取付板５２と、この取付板５２に取り付けられた型板５３と、この型板５３に設けられたスプール５４と、型板５３に取り付けられた入れ子５５と、この入れ子５５に取り付けられ、下部にレンズ形成用の凹部が設けられたコアピン５６と、スプール５４に繋がり、コアピン５６に至る状態で型板５３の下面に設けられたランナー５７を有する。
【０００４】
可動側である下部の第２の金型６１は、可動板６２と、この可動板６２上に配置されたスペーサ部材６３と、このスペーサ部材６３上に配置された受け板６４と、この受け板６４上に配置された型板６５と、この型板６５に取り付けられた入れ子６６と、この入れ子６６に取り付けられ、上部にレンズ形成用の凹部が設けられたコアピン６７と、スプール５４に繋がり、コアピン６７に至る状態で型板６５の上面に設けられたランナー６８と、第２の金型６１の中心部に設けられたエジェクターピン６９を有する。
【０００５】
このような構成を有する従来のレンズ成形金型装置は、図７に示すように、第２の金型６１を可動して、第１，第２の金型５１，６１が合わされると、コアピン５６，６７との間にレンズキャビティＫが形成されると共に、ランナー５７，６８も合わされた状態となる。
【０００６】
そして、溶融したレンズ形成材料がスプール５４から流入されると、レンズ形成材料がランナー５７，６８を経てレンズキャビティＫ内に流入して、レンズが形成され、成形後、第２の金型６１を可動して、第１，第２の金型５１，６１を離し、エジェクターピン６９によってレンズを第２の金型６１から排出するようになっている（例えば、特許文献１参照）。
【特許文献１】特開２００４−１７７８６３号公報
【発明の開示】
【発明が解決しようとする課題】
【０００７】
レンズ厚は、コアピン５６，６７間のレンズキャビティＫの厚さによって決まるが、従来のレンズ成形金型装置において、レンズ厚を変更する場合、第１，第２の金型５１，６１を分解して、型板５３に対するコアピン５６の取付位置の変更と、型板６５に対するコアピン６７の取付位置の変更を行うようになっているため、その作業が面倒で、変更のための作業時間が多くなるという問題がある。
【０００８】
本発明は、このような従来技術の実情に鑑みてなされたもので、その目的は、レンズ厚変更のためのコアピンの可動操作が簡単で、調整作業の容易なレンズ成形金型装置を提供することにある。
【課題を解決するための手段】
【０００９】
上記の目的を達成するために、本発明の第１の解決手段として、少なくとも一方側が移動可能となった第１，第２の金型と、この第１，第２の金型のそれぞれに保持され、レンズキャビティを形成するための第１，第２のコアピンとを備え、前記第１，第２の金型の少なくとも一方には、前記コアピンを可動して、前記レンズの厚さを調整するための調整手段が配設された構成とした。
【００１０】
また、第２の解決手段として、前記調整手段が前記第１，第２の金型に設けられて、前記調整手段によって前記第１，第２のコアピンを可動可能とした構成とした。
【００１１】
また、第３の解決手段として、前記第１，第２の金型のそれぞれには、複数の前記レンズキャビティを形成するための複数の前記第１，第２のコアピンが配置され、複数のレンズの成形が可能とした構成とした。
【００１２】
また、第４の解決手段として、前記調整手段は、前記金型に保持された状態で前記金型外に突出した調整部材と、前記金型に保持され、前記調整部材からの動力を受けて前記コアピンを可動するスペーサ部材とを有した構成とした。
【００１３】
また、第５の解決手段として、前記調整部材は、前記金型にねじ込まれたネジ部と、このネジ部に結合され、前記金型外に突出する調整部を有し、前記スペーサ部材は、前記コアピンに当接する可動体と、この可動体に結合され、弾性変形可能な弾性梁部と、前記ネジ部によって移動可能で、前記弾性梁部によって前記ネジ部の動きに追従する基体部を有し、前記ネジ部がネジ込まれ、又はネジ戻された際、前記弾性梁部を介して前記可動体が移動して、前記コアピンを可動するようにした構成とした。
【発明の効果】
【００１４】
本発明のレンズ成形金型装置は、第１，第２の金型と、この第１，第２の金型のそれぞれに保持され、レンズキャビティを形成するための第１，第２のコアピンとを備え、第１，第２の金型の少なくとも一方には、コアピンを可動して、レンズの厚さを調整するための調整手段が配設されたため、調整手段を設けることによって、金型を分解することなく、レンズ厚の調整が可能となって、調整作業の容易なものが得られる。
【００１５】
また、調整手段が第１，第２の金型に設けられて、調整手段によって第１，第２のコアピンを可動可能としたため、レンズ厚の精度の良いものが得られる。
【００１６】
また、第１，第２の金型のそれぞれには、複数のレンズキャビティを形成するための複数の第１，第２のコアピンが配置され、複数のレンズの成形が可能としたため、一度の成形で複数のレンズの成形ができて、生産性の良好なものが得られる。
【００１７】
また、調整手段は、金型に保持された状態で金型外に突出した調整部材を有したため、金型の外部から調整部材の操作によって容易にコアピンを可動できると共に、金型に保持され、調整部材からの動力を受けてコアピンを可動するスペーサ部材を有したため、簡単な構成となって、コンパクトな調整手段が提供できる。  
また、調整部材は、金型にねじ込まれたネジ部と、このネジ部に結合され、金型外に突出する調整部で構成されたため、微細なレンズ厚の調整が可能であると共に、スペーサ部材は、コアピンに当接する可動体と、この可動体に結合され、弾性変形可能な弾性梁部と、ネジ部によって移動可能で、弾性梁部によってネジ部の動きに追従する基体部で構成されたため、その構成が簡単で、コアピンの可動の確実なものが得られる。
【発明を実施するための最良の形態】
【００１８】
発明の実施の形態について図面を参照して説明すると、図１は本発明のレンズ成形金型装置に係る要部断面図、図２は本発明のレンズ成形金型装置に係り、二つの調整手段を示す平面図、図３は本発明のレンズ成形金型装置に係り、調整手段を示す要部断面図、図４は本発明のレンズ成形金型装置に係り、調整手段を示す要部の平面図、図５は本発明のレンズ成形金型装置に係り、調整手段の他の実施形態を示す要部断面図である。
【００１９】
次に、本発明のレンズ成形金型装置の構成を図１〜図４に基づいて説明すると、本発明のレンズ成形金型装置は、第１の受け板３，第１の型板５，第１の入れ子６，及び第１のコアピン７を有する第１の金型１と、第２の受け板１４、第２の型板１５，第２の入れ子１６，及び第２のコアピン１７を有する第２の金型１１と、第１，第２のコアピン７，１７を可動するための調整手段２１とで主部材が形成されている。
【００２０】
固定側である上部の第１の金型１は、中央部に孔２ａを有する第１の取付板２と、この第１の取付板２の下部に取り付けられ、中央部に設けられた孔３ａ、及び孔３ａの両側に設けられた一対の凹部３ｂを有した第１の受け板３と、この第１の受け板３の下部に配置され、中央部にスプール４が設けられた第１の型板５を有する。
【００２１】
また、第１の金型１は、スプール４を挟んで対称な位置で、第１の型板５内に取り付けられた２個（複数個）の第１の入れ子６と、この第１の入れ子６のそれぞれに取り付けられ、下部にレンズ形成用の凹部が設けられた２個（複数個）の可動可能な第１のコアピン７と、スプール４に繋がり、第１のコアピン７に至る状態で第１の型板５と第１の入れ子６の下面に設けられたランナー８を有する。
【００２２】
そして、第１のコアピン７の周辺に位置する第１の入れ子６に設けられたランナー８には、ここでは図示しないが、レンズ枠を形成するための凹部が設けられていると共に、第１のコアピン７は、ここでは図示しないが、ランナー８側と反対方向に付勢部材によって付勢されるか、または抜け止めされた状態となっている。
【００２３】
可動側である下部の第２の金型１１は、第２の取付板１２と、この第２の取付板１２の上部に取り付けられた中央部に空洞部１３ａを有するスペーサ板１３と、このスペーサ板１３上に取り付けられ、中央部に設けられた孔１４ａ、及び孔１４ａの両側に設けられた一対の凹部１４ｂを有した第２の受け板１４と、この第２の受け板１４の上部に配置され、中央部に孔１５ａが設けられた第２の型板１５を有する。
【００２４】
また、第２の金型１１は、孔１５ａを挟んで対称な位置で、第２の型板１５内に取り付けられた２個（複数個）の第２の入れ子１６と、この第２の入れ子１６のそれぞれに取り付けられ、上部にレンズ形成用の凹部が設けられた２個（複数個）の可動可能な第２のコアピン１７と、第２のコアピン１７に至る状態で第２の型板１５と第２の入れ子１６の上面に設けられたランナー１８を有する。
【００２５】
そして、第２のコアピン１７の周辺に位置する第２の入れ子１６に設けられたランナー１８には、ここでは図示しないが、レンズ枠を形成するための凹部が設けられていると共に、第２のコアピン１７は、ここでは図示しないが、ランナー１８側と反対方向に付勢部材によって付勢されるか、または抜け止めされた状態となっている。
【００２６】
更に、第２の金型１１は、スペーサ板１３の空洞部１３ａ内に移動可能に設けられた突き出し板１９と、この突き出し板１９に取り付けられた複数の突き出しピン２０を有し、この突き出しピン２０の１つは、孔１４ａ、１５ａ内に移動可能に配置されると共に、他の突き出しピン２０は、第２の受け板１４と第２の入れ子１６を貫通しており、この突き出しピン２０によって、成形されたレンズＲを第２の金型１１外に排出するようになっている。
【００２７】
なお、上記実施例では、第１の金型１を固定側、第２の金型１１を可動側としたもので説明したが、第１の金型１を可動側、第２の金型１１を固定側にしても良く、また、第１，第２の金型１，１１の双方を可動側にしても良い。
【００２８】
このような構成を有する第１，第２の金型１，１１は、第２の金型１１を可動して、第１，第２の金型１，１１が合わされると、第１，第２のコアピン７，１７との間にレンズキャビティが形成されると共に、ランナー８，１８も合わされた状態となる。
【００２９】
第１，第２のコアピン７，１７を可動するための調整手段２１は、調整部材２２と、この調整部材２２によって可動するスペーサ部材２３とで構成され、調整部材２２は、ネジ部２２ａと、このネジ部２２ａに結合された調整部２２ｂを有し、また、スペーサ部材２３は、一対の基体部２３ａと、この一対の基体部２３ａ間に設けられた可動体２３ｂと、基体部２３ａと可動体２３ｂを連結し、弾性変形可能な弾性梁部２３ｃを有する。
【００３０】
この調整手段２１は、スペーサ部材２３が第１，第２の受け板３，１４の凹部３ｂ、１４ｂ内に収納され、可動体２３ｂが第１，第２のコアピン７，１７の端部に当接すると共に、調整部材２２の調整部２２ｂが第１，第２の金型１，１１外の横方向に突出した状態で、ネジ部２２ａが第１，第２の受け板３，１４のネジ孔にねじ込まれている。
【００３１】
そして、調整部２２ｂをねじ込む方向に回転すると、ねじ込まれたネジ部２２ａによってスペーサ部材２３の基体部２３ａが押圧、移動し、すると、弾性梁部２３ｃの弾性によって可動体２３ｂが第１，第２の金型１，１１の合わせ面側に可動するため、可動体２３ｂによって第１，第２のコアピン７，１７が第１，第２の金型１，１１の合わせ面側に可動し、その結果、レンズキャビティの厚さが小さくなって、レンズ厚が小さくなるように調整される。
【００３２】
また、調整部２２ｂをねじ戻す方向に回転すると、弾性梁部２３ｃによって基体部２３ａがねじ戻されたネジ部２２ａに追従して移動し、すると、弾性梁部２３ｃが若干平坦になることから可動体２３ｂが第１，第２の金型１，１１の合わせ面側と反対方向に可動するため、可動体２３ｂによって第１，第２のコアピン７，１７が第１，第２の金型１，１１の合わせ面側と反対方向に可動し、その結果、レンズキャビティの厚さが大きくなって、レンズ厚が大きくなるように調整される。
【００３３】
なお、上記実施例では、ネジ部２２ａがねじ込まれた際にレンズ厚が小さく、ネジ部２２ａがネジ戻された際にレンズ厚が大きくなるようにしたが、ネジ部２２ａがねじ込まれた際にレンズ厚が大きく、ネジ部２２ａがネジ戻された際にレンズ厚が小さくなるようにしても良い。
【００３４】
このような構成を有する本発明のレンズ成形金型装置は、先ず、第２の金型１１を可動して、第１，第２の金型１，１１を合わせて、第１，第２のコアピン７，１７との間にレンズキャビティを形成し、且つ、ランナー８，１８も合わせた後、溶融したレンズ形成材料（例えば、プラスチック）がスプール４から流入されると、レンズ形成材料がランナー８，１８を経て第１，第２のコアピン７，１７間に形成されたレンズキャビティ内に流入して、レンズＲが形成される。
【００３５】
この時、コアピン７，１７にはレンズ成型材料による押圧力がかかるが、この押圧力による付勢作用を活用する構成の場合は、前記の付勢部材を省くことも可能である。そして、成形後、第２の金型１１を可動して、第１，第２の金型１，１１を離し、次に、突き出し板１９を可動して、突き出しピン２０によってレンズＲを第２の金型１１から排出すると、複数のレンズＲが成形されるようになっている。
【００３６】
そして、レンズ厚を調整する場合、上述したように、第１，第２の金型１，１１外に突出した調整手段２１の調整部２２ｂを回すことによって、レンズ厚を大きくしたり、或いは小さくするように調整する。
【００３７】
なお、レンズ厚の調整においては、第１，第２のコアピン７，１７の何れか一方を可動するようにしても良い。
【００３８】
また、図５は本発明のレンズ成形金型装置の他の実施形態を示し、この実施形態は、調整部材２２のネジ部２２ａをスペーサ部材２３の基体部２３ａに掛止めすると共に、第１，第２のコアピン７，１７に設けられた頭部７ａ、１７ａが可動体２３ｂに掛止めされたものであり、これによって、第１，第２のコアピン７，１７を付勢する付勢部材を不要としたもので、その他の構成は、上記実施例と同様の構成を有し、同一部品に同一番号を付し、ここではその説明を省略する。
【図面の簡単な説明】
【００３９】
【図１】本発明のレンズ成形金型装置に係る要部断面図である。
【図２】本発明のレンズ成形金型装置に係り、二つの調整手段を示す平面図である。
【図３】本発明のレンズ成形金型装置に係り、調整手段を示す要部断面図である。
【図４】本発明のレンズ成形金型装置に係り、調整手段を示す要部の平面図である。
【図５】本発明のレンズ成形金型装置に係り、調整手段の他の実施形態を示す要部断面図である。
【図６】従来のレンズ成形金型装置に係る要部断面図である。
【図７】従来のレンズ成形金型装置に係る要部の拡大断面図である。
【符号の説明】
【００４０】
１  第１の金型
２  第１の取付板
２ａ  孔
３  第１の受け板
３ａ  孔
３ｂ  凹部
４  スプール
５  第１の型板
６  第１の入れ子
７  第１のコアピン
７ａ  頭部
８  ランナー
１１  第２の金型
１２  第２の取付板
１３  スペーサ部材
１３ａ  空洞部
１４  第２の受け板
１４ａ  孔
１４ｂ  凹部
１５  第２の型板
１５ａ  孔
１６  第２の入れ子
１７  第２のコアピン
１７ａ  頭部
１８  ランナー
１９  突き出し板
２０  突き出しピン
２１  調整手段
２２  調整部材
２２ａ  ネジ部
２２ｂ  調整部
２３  スペーサ部材
２３ａ  基体部
２３ｂ  可動体
２３ｃ  弾性梁部
Ｒ  レンズ
【図１】
2007125809.tif 000003
【図２】
2007125809.tif 000004
【図３】
2007125809.tif 000005
【図４】
2007125809.tif 000006
【図５】
2007125809.tif 000007
【図６】
2007125809.tif 000008
【図７】
2007125809.tif 000009